(57)【要約】      （修正有）【課題】ＬＥＤランプパッケージ体前端に集光レンズ組を設置し、良好な集光効果を呈することができるＬＥＤランプレンズ構造を提供する。【解決手段】ＬＥＤランプレンズ構造は、基材１０と、発光ダイオードチップ２０と、ハウジング３０と、集光レンズ組４０と、を含む。該発光ダイオードチップ２０は、基材１０表面に設置され、且つ該ハウジング３０は、発光ダイオードチップ２０を囲う形態を呈し基材１０表面に設置され、且つ該ハウジング３０が囲う内面は、発光ダイオードチップ２０をパッケージするパッケージ材料層を注入してなる。また、該集光レンズ組４０は、ハウジング３０上方に設置され、且つ該集光レンズ組４０は、表面において発光ダイオードチップ２０が生成する光線を特定方向に屈折させることができる屈折面４１を形成する。【選択図】図１
0003171338.tif 000002
【実用新案登録請求の範囲】
【請求項１】
基材と、発光ダイオードチップと、ハウジングと、集光レンズ組と、を含み、
該発光ダイオードチップは、基材表面に設置され、且つ該ハウジングは、発光ダイオードチップを囲う形態を呈し基材表面に設置され、且つ該ハウジングが囲う内面は、発光ダイオードチップをパッケージするパッケージ材料層を注入し、
且つ該集光レンズ組は、ハウジング上方に設置され、且つ該集光レンズ組は、表面において発光ダイオードチップが生成する光線を特定方向に屈折させることができる屈折面を形成するLEDランプレンズ構造。
【請求項２】
前記集光レンズ組は、フレネルレンズ（Fresnel lens）である請求項１に記載のLEDランプレンズ構造。
【考案の詳細な説明】
【技術分野】
【０００１】
本考案は、LEDランプレンズ構造に関し、特に、LEDランプパッケージ体前端に集光効果を有する集光レンズ組を設置し、LEDランプが照射する光線が集光レンズ組により集中され、良好な集光効果を現すことができるLEDランプレンズ構造に関する。
【背景技術】
【０００２】
現在、従来のLED発光効率が良好でない等の技術的ボトルネックを突破したことにより、LEDは、一般電気機器のインジケータ又は補助光に使用できるだけでなく、更に照明設備の分野に使用可能になっている。また、現在のハイパワーLEDの操作電流が２アンペア以上に到達することができ、それは、従来のLEDのただ２０ミリアンペアの動作電流の１００倍以上であり、且つハイパワーLEDの単一の発光効率は、数百個の従来のLEDの総発光効率より大きいので、輝度は相当高く、１６０ルーメンに到達でき、使用上相当便利である。また、発光ダイオード部材は、冷発光に属し、消費電量が低く、部材の寿命が長く、温まり明るくなるまでの時間が必要なく、反応速度が速い等の利点を有し、更に、その体積が小さく、耐震動であり、量産に適合し、極小又はアレイ式であることが必要な部材に応用できるので、発光ダイオード部材は、既に情報通信及び消費性電子製品のインジケータ及びディスプレイ装置上に普遍的使用されている。
【０００３】
図４を参照し、それは、従来のLEDパッケージ構造であり、それは、基材６１と、発光ダイオード６２と、ハウジング６３と、を含み、該発光ダイオード６２は、基材６１表面に設置され、且つ該ハウジング６３は、発光ダイオードチップ６２を囲う形態を呈し、基材６１表面に設置され、最後にハウジング６３が囲う範囲にパッケージ材料層６４を注入し、それを凝固させ、LEDのチップパッケージを完成することができる。しかしながら、従来のLEDパッケージ構造が採用するパッケージ材料層６４は、何れも一般の透光シリコンゲルであり、それは、光線透過効果を有するだけであり、光線集光機能を有さないので、光線を効率的に集中し、比較的明るい照射を行うことができない。
【０００４】
従来LEDパッケージ構造が光線収容機能を有さないので、光線を効率的に集中し、比較的明るい照射を行うことができないという欠点に鑑み、本考案者は、LEDランプレンズ構造を推出し、具体的には、LEDパッケージ体前端に集光効果を有する集光レンズ組を設置し、LEDランプが照射する光線が集光レンズ組により集中され、良好な集光効果呈することができるようにするものである。
【先行技術文献】
【特許文献】
【０００５】
【特許文献１】登録実用新案第３１６７５２５号公報
【考案の概要】
【考案が解決しようとする課題】
【０００６】
本考案は、LEDランプパッケージ体前端に集光効果を有する集光レンズ組を設置し、LEDランプが照射する光線が集光レンズ組により集中され、良好な集光効果を現すことができるLEDランプレンズ構造を提供する。
【課題を解決するための手段】
【０００７】
前記LEDが良好な光線拡散を有するという考案目的を達成する為、本考案のLEDランプレンズ構造は、基材と、発光ダイオードチップと、ハウジングと、集光レンズ組と、を含み、該発光ダイオードチップは、基材表面に設置され、且つ該ハウジングは、発光ダイオードチップを囲う形態を呈し基材表面に設置され、且つ該ハウジングが囲う内面は、発光ダイオードチップをパッケージするパッケージ材料層を注入し、且つ該集光レンズ組は、ハウジング上方に設置され、且つ該集光レンズ組は、表面において発光ダイオードチップが生成する光線を特定方向に屈折させることができる屈折面を形成する。
【０００８】
前記集光レンズ組は、フレネルレンズ（Fresnel lens）である。
【考案の効果】
【０００９】
本考案のLEDランプレンズ構造は、LEDランプパッケージ体前端に集光効果を有する集光レンズ組を設置し、LEDランプが照射する光線が集光レンズ組により集中され、良好な集光効果を呈することができる。
【図面の簡単な説明】
【００１０】
【図１】本考案のLEDランプレンズ構造の立体分解説明図である。
【図２】本考案のLEDランプレンズ構造の立体外観説明図である。
【図３】本考案のLEDランプレンズ構造の光照射型説明図である。
【図４】従来のLEDランプ光照射型説明図である。
【考案を実施するための形態】
【００１１】
本考案が上記目的を達成する為、採用する技術手段及びその効果について、実施例を挙げ、図面に合わせて以下に説明する。
【００１２】
本考案は、LEDランプレンズ構造に関し、それは、LEDランプパッケージ体前端に集光効果を有する集光レンズ組を設置し、LEDランプが照射する光線が集光レンズ組により集中され、良好な集光効果を呈することができ、図１〜図３に示すように、前記LEDが良好な光線拡散を有するという考案目的を達成する為、本考案のLEDランプレンズ構造は、基材１０と、発光ダイオードチップ２０と、ハウジング３０と、集光レンズ組４０と、を含む。
【００１３】
該発光ダイオードチップ２０は、基材１０表面に設置され、且つ該ハウジング３０は、発光ダイオードチップ２０を囲う形態を呈し基材１０表面に設置され、且つ該ハウジング３０が囲う内面は、発光ダイオードチップ２０をパッケージするパッケージ材料層５０を注入してなる。
【００１４】
該集光レンズ組４０は、ハウジング３０上方に設置され、且つ該集光レンズ組４０は、表面において発光ダイオードチップ２０が生成する光線を特定方向に屈折させることができる屈折面４１を形成する。
【００１５】
更に、該集光レンズ組４０は、フレネルレンズ（Fresnel lens）であり、フレネルレンズは、平面「凸レンズ」であり、多くの応用分野で凸レンズに取って代わり、その多くは、ポリオレフィン材料の射出によってなる薄片であり、非常に薄いガラスを採用して形成されるものもあり、レンズの一面が光面であり、他面上には、等間隔の歯パターンを設け、これら歯パターンにより指定の光スペクトル範囲の光帯域で反射又は屈折を行い、レンズの焦点への光線収集を経て、凸レンズの作用を実現することができる。
【００１６】
本考案のパッケージ材料層５０は、エポキシ樹脂（epoxy）、スピンオングラス（spin-onglass、SOG）、ポリイミド（polyimide）、ベンゼン高分子化合物（B-staged bisbenzocyclobutene）、セラミック及びガラス等の材料から選択して単一材料層又は複合材料層を形成することができる。また、パッケージ材料層５０は、その他の波長変換材料、蛍光粉又は光拡散材料を混合し、プレス成型又は接着又は焼結方式でパッケージを行うこともできる。
【符号の説明】
【００１７】
１０  基材
２０  発光ダイオードチップ
３０  ハウジング
４０  集光レンズ組
４１  屈折面
５０  パッケージ材料層
６１  基材
６２  発光ダイオードチップ
６３  ハウジング
６４  パッケージ材料層
【図１】
0003171338.tif 000003
【図２】
0003171338.tif 000004
【図３】
0003171338.tif 000005
【図４】
0003171338.tif 000006